(57)【要約】【課題】複数の柵構成材を組み合わせて構築する柵の柵構成材内への雨水が浸入しにくい柵を提供すること。【解決手段】擬木柵を構成する横木１２Ａ，Ｂと縦格子１３との間に、筒形のブシュ１６と同ブシュ１６を包囲するフランジ部１７とを有する可撓性のあるパッキン１５を、横木１２Ａ，Ｂの側面形成した凹部２５、２９内の底面２６、３０と縦格子１３の端面１３ａとの間にフランジ部１７が配置されるように介在させ、ブシュ１５は連結ボルト３７を挿嵌させた状態で連結ボルト３７が配設される横木１２Ａ，Ｂ側の透孔２７，３１と縦格子１３側の補強用パイプ２２内に挿入させるようにする。【選択図】図３
2017186836.tif 000002
【特許請求の範囲】
【請求項１】
複数の柵構成材を組み合わせて構成され、前記柵構成材内に内蔵された雄ネジ部材及び雌ネジ部材によって隣接する前記柵構成材同士を連結して締め付固定するようにした柵において、
筒形のブシュと同ブシュを包囲するフランジ部とを有する可撓性のあるパッキンを、連結固定される関係となる隣接する前記柵構成材の当接面間に前記フランジ部が配置されるように介在させ、前記ブシュは前記雄ネジ部材を挿嵌させた状態で前記雄ネジ部材が配設される前記柵構成材内の連通孔内に挿入されていることを特徴とする柵。
【請求項２】
前記パッキンのフランジ部は均等厚さのベースと、同ベースの表裏少なくとも一方の面に前記ブシュを周回するように一体形成された１又は２以上の畝部とから構成されていることを特徴とする請求項１に記載の擬木柵。
【請求項３】
前記パッキンの前記フランジ部は前記ブシュの軸方向端部から離間した位置に形成されていることを特徴とする請求項１又は２に記載の柵。
【請求項４】
前記パッキンの前記ブシュは軸方向おいて前記フランジ部に近い部分が前記フランジ部より遠い部分よりも外形が大きいことを特徴とする請求項１〜３のいずれかに記載の柵。
【請求項５】
前記パッキンの外周形状は前記柵構成材内の連通孔の内周形状と一致する部分を有することを特徴とする請求項１〜５のいずれかに記載の柵。
【請求項６】
前記パッキンはゴム製であることを特徴とする請求項１〜５のいずれかに記載の柵。
【請求項７】
連結固定される関係となる隣接する前記柵構成材の前記当接面は前記柵構成材の長手方向端面とそれに対応する側面とに形成されていることを特徴とする請求項１〜６のいずれかに記載の柵。
【請求項８】
長手方向端面に前記当接面が形成される前記柵構成材は縦方向で配設される部材であることを特徴とする請求項７に記載の柵。
【請求項９】
前記柵構成材の側面には凹部が形成され、前記柵構成材の側面に形成される前記当接面は前記凹部の底面であることを特徴とする請求項請求項７又は８に記載の柵。
【発明の詳細な説明】
【技術分野】
【０００１】
本発明は、例えば公園や牧場、あるいは遊歩道等において所定の領域を区画するために配置される柵であって複数の柵構成材を組み合わせて構築する柵に関するものである。
【背景技術】
【０００２】
従来から例えば公園や牧場、あるいは遊歩道等において所定の領域を区画するために柵の一種として擬木柵が使用されている。擬木柵は主として回収したプラスチックを主原料として成型され外観を木に似せた支柱と横木とを組み合わせて構築されており、木材資源の節約と木柵に比べて耐久性がよい点から近年多く用いられるようになっている。
このような擬木柵は、一般に一方の柵構成材の側面に、他方の柵構成材の端部を面同士の関係で当接させて内蔵されたボルト部材とナット部材によって連結固定するようにして構築する。擬木柵の構築手段としては種々の改良がなされているが、一例として特許文献１と２を示す。
例えば特許文献１では支柱を挟んだ両側の横木間にボルト部材のような締結部材を配置して横木を固定するようにしている。締結部材は例えば特許文献１の図６や図９等に示すように完全に擬木柵の支柱と横木に包囲された状態でその内部に収容されるため、外部に露出することはない。
【先行技術文献】
【特許文献】
【０００３】
【特許文献１】特開２０００−３２０１９４号公報
【特許文献２】特開２０１５−１３４９９５号公報
【発明の概要】
【発明が解決しようとする課題】
【０００４】
ところが、擬木柵を実際に設置して時間が経過すると支柱と横木との間が若干空いてくることがある。これはプラスチック製であっても経年使用により本物の木で作った場合と同様に個々の要素が痩せてくるためである。また、凹部に挿し込まれる柵構成材の端部に対して元々凹部の内径はわずかに大きく構成されているため、まったく隙間ができないわけではない。そのため、柵構成材同士の隙間から雨水（海岸沿いでは台風等の大風で巻き上げられた海水飛沫も錆の原因となるも。以下、雨水や海水飛沫を含めて雨水等とする）が柵構成材内部に浸入してボルト・ナット部材のような締結部材や柵構成材パイプとなる鋼材等が錆びてしまう場合があった。そのため、特許文献２のようにベローズ４１、４２を柵構成材としての支柱１１、横木１２の連結位置に配置して雨水が浸入しないようにする技術が出願人から提案されている。しかし、ベローズ４１、４２は連結ボルト３７を包囲する位置にあって機能を発揮するため、ベローズ４１、４２より外側においては雨水が浸入してしまうこととなり、この種の技術で柵構成材内への雨水の浸入を防止するには必ずしも十分ではなかった。そのため、このような複数の柵構成材を組み合わせて構築する柵において柵構成材内への雨水の浸入をより高レベルで防止するための技術が求められていた。
本発明は、このような従来の技術に存在する問題点に着目してなされたものである。その目的は、複数の柵構成材を組み合わせて構築する柵の柵構成材内への雨水が浸入しにくい柵を提供することにある。
【課題を解決するための手段】
【０００５】
上記課題を解決するために、手段１では、複数の柵構成材を組み合わせて構成され、前記柵構成材内に内蔵された雄ネジ部材及び雌ネジ部材によって隣接する前記柵構成材同士を連結して締め付固定するようにした柵において、筒形のブシュと同ブシュを包囲するフランジ部とを有する可撓性のあるパッキンを、連結固定される関係となる隣接する前記柵構成材の当接面間に前記フランジ部が配置されるように介在させ、前記ブシュは前記雄ネジ部材を挿嵌させた状態で前記雄ネジ部材が配設される前記柵構成材内の連通孔内に挿入されているようにした。
【０００６】
このような構成とすれば、柵構成材が突き合された当接面間から水が浸入しても当接面間に挟持された可撓性のあるパッキンによって水の浸入が防止される。パッキンのフランジ部は当接面間で圧縮されて当接面に密着して浸水を防止する。特に雄ネジ部材はブシュが挿嵌されているため、例え水がフランジ部を乗り換えてもブシュによって水が雄ネジ部材に回りにくくなっている。
ここに、柵構成材としては柵を地面に固定する支柱や、支柱間に配置される横木や、横木間に配置される格子部材が一例として挙げられる。これらのように直交する部材だけでなく斜めに配置される柵構成材であってもよい。また、連結固定される関係となる隣接する柵構成材は当接面という面同士で接触して連結される。このように面同士で接触しないと雄ネジ部材及び雌ネジ部材が容易に外部に露出する構造となってしまうからである。面同士で接触すればよいため、当接面が必ずしも平面である必要はなく、一方が凸形状で他方が凹形状の湾曲面で構成される当接面であってもよい。
雄ネジ部材としては、外周に雄ネジが形成された棒状部材であれば、例えばナット状のヘッドが一体形成されたボルト部材であってもそうでなくともよい。雌ネジ部材としては雄ネジ部材の雄ネジと噛み合って相対的な軸方向への移動がなされればよくその形状は問わない。代表的にはナット形状であるが、ナット形状ではなくともよい。
パッキンは基本的にはブシュと同ブシュを包囲するフランジ部とから構成されるが、それ以外の部分を有することを排除するものではない。ブシュは雄ネジ部材が挿通されるような透孔が形成されていればその形状は問わない。ブシュはバランス的に断面円形の透孔であることがよく、外径も円筒形状であることがよい。フランジ部はブシュの外周のどの位置に形成されていてもよいが、ブシュの軸線方向と直交する方向に延出されていることがよい。フランジ部の形状は当接面の形状に対応させることがよい。配設状態でフランジ部が当接面から大きくはみ出たり、逆に当接面全体をカバーしていないと十分な雨水の遮断効果が得られないからである。ブシュがフランジ部を境界として隣接する柵構成材内の連通孔内に挿入される場合には両方の柵構成材内に挿入されても、いずれか一方にのみ挿入されてもよい。
【０００７】
手段２では、前記パッキンのフランジ部は均等厚さのベースと、同ベースの表裏少なくとも一方の面に前記ブシュを周回するように一体形成された１又は２以上の畝部とから構成されているようにした。
パッキンのフランジ部は畝部がなくとも可撓性があるため当接面間で圧縮されて当接面に密着して浸水を防止するのであるが、更にこのように畝部を設けることによって畝部が圧縮され、確実に堰となって当接面とフランジ部殿間の微細な隙間から水が浸入することが防止される。ベースは均等厚さであることで圧力が均等に分散されることとなる。畝部はブシュを周回するように配置されているため、ブシュ方向に水が回りにくくなっており、そのためブシュから雄ネジ部材方向に浸水が及びにくくなっている。畝部はらせん状でもよく、無端状で途中で途切れないことがよい。２以上の畝部の間隔は均等であることががたつき防止や各畝部への均等な圧力の付与の点からよい。
【０００８】
手段３では、前記パッキンの前記フランジ部は前記ブシュの軸方向端部から離間した位置に形成されているようにした。
このような構成とすれば（つまり、フランジ部はブシュの軸方向端部にない）ブシュの両端ともに雄ネジ部材が配設される柵構成材内の連通孔に挿入させることができ、雨水の浸水を高レベルに防止することができる。ブシュの外形はちょうど連通孔にぴったりと若干無理嵌め状に押し込まれることが浸水防止の点からよい。
手段４では、前記パッキンの前記ブシュは軸方向おいて前記フランジ部に近い部分が前記フランジ部より遠い部分よりも外形が大きいようにした。
これによって連通孔への差し込みはブシュとの間に余裕があるので差し込みやすいため作業効率が向上する。このような構成ならばブシュのフランジ部に近い部分の外形を連通孔の外形と同じにすればブシュを連通孔へ挿し込んでいき、フランジ部が当接面に近づくとちょうどブシュの外周と連通孔の内周がぴったりと収まり、浸水の防止効果が大きくなる。このため、例えばブシュ外形を軸方向にテーパ状になるように（フランジ部から遠くなるほど徐々に外形が小さくなるように）構成することがよい。
手段５では、前記パッキンの外周形状は前記柵構成材内の連通孔の内周形状と一致する部分を有することがよい。
これによってブシュを連通孔に挿し込んだ際にブシュの外周と連通孔の内周がぴったりと収まる箇所が生じることとなり、浸水の防止効果が大きくなる。
【０００９】
手段６では、前記パッキンはゴム製であるようにした。
ゴムは可撓性のある材料であり、かつ安価で耐久性も高く構成できるため好適である。例えば、クロロプレンゴム、ニトリルゴム（ＮＢＲ）・エチレンプロピレンゴム（ＥＰＤＭ）・シリコーンゴム・フッ素ゴム等が使用可能である。
【００１０】
手段７では、連結固定される関係となる隣接する前記柵構成材の前記当接面は前記柵構成材の長手方向端面とそれに対応する側面とに形成されているようにした。
柵はこのような接合で構成されることが多いため、この位置に本発明の防水構造を構成を適用することが最も効果的である。
手段８では、長手方向端面に前記当接面が形成される前記柵構成材は縦方向で配設される部材であるようにした。
主として格子部材として上下位置に横木が配置される場合である。このような配置位置であると雨水が浸入しやすいため、適用することが特に有益となる。
手段９では、前記柵構成材の側面には凹部が形成され、前記柵構成材の側面に形成される前記当接面は前記凹部の底面であるようにした。
このように構成すれば連結固定される関係となる隣接する柵構成材の長手方向端面は凹部の底面においてパッキンのフランジ部を挟持することとなり、より奥まった位置にパッキンが配置されることとなり、浸水しにくくなる。この際に凹部の底面形状とフランジ部形状とが一致する（若干の大きさの誤差は許容される）ことがよい。
【発明の効果】
【００１１】
本発明によれば、複数の柵構成材を組み合わせて構築する柵の柵構成材内への雨水の浸入が高いレベルで防止されることとなる。
【図面の簡単な説明】
【００１２】
【図１】本発明の実施の形態の擬木柵の正面図。
【図２】同じ擬木柵において使用されるパッキンの（ａ）は平面図、（ｂ）は正断面図、（ｃ）斜視図。
【図３】図１のＡ−Ａ位置における横木に対する縦格子の連結構造を説明する分解正断面図。
【図４】図１のＡ−Ａ位置における横木に対する縦格子の連結構造を説明する正断面図。
【図５】他の実施の形態の擬木柵の横木に対する縦格子の連結構造を説明する要部断面図。
【発明を実施するための形態】
【００１３】
以下、本発明の柵について、擬木柵に適用した具体的な実施の形態を図面に基づいて説明する。
まず、図１に基づいて擬木柵の概要について説明する。擬木柵１０は支柱１１、横木１２及び縦格子１３とを組み合わせて構築されている。支柱１１、横木１２及び縦格子１３はプラスチック製の筒体より構成されており、各々の露出された外周面及び木口面は木の肌に似せたでこぼこした風合いとされているが、基本的に横断面において外径は略円形に構成されている。でこぼこした風合いであるため、略円形であるとはいえそれほどの精度の円形ではない。支柱１１は所定間隔に直列に配置され地中内に埋設された基礎１４上に支持されている。前後一対の支柱１１間に上下方向に平行に３本の横木１２が掛け渡されている。３本の横木１２は上寄りに２本、下方寄りに１本という配置とされ、中間と下方寄りの２本の横木１２（以下、横木１２Ａ、１２Ｂ）間に複数の（本実施の形態では７本）の縦格子１３が等間隔となるように配設されている。このような支柱１１、横木１２及び縦格子１３からなる構成を１単位として擬木柵１０は支柱１１が直列に配置された方向に延出されている。
【００１４】
次に横木１２Ａ、１２Ｂに対する縦格子１３の連結構造について説明する。
図４は図１のＡ−Ａ位置における断面構造を示す断面図である。ここでは一例としてＡ−Ａ位置での構造を説明するが、他の対応する位置も同様の構造である。図４に示すように、縦格子１３と横木１２Ａ、１２Ｂの間（図１の破線で囲んだ位置）にはパッキン１５が配設されている。
図２（ａ）〜（ｃ）に示すように、本実施の形態のクロロプレンゴム製のパッキン１５はブシュ１６とブシュ１６の外周から張り出したフランジ部１７から構成されている。ブシュ１６は全長２１．５ｍｍ、内径１２ｍｍの円筒形の筒体である。ブシュ１６の外径は最大１６ｍｍとされ、両端寄り外周がテーパ状に構成され両端部分の外径は１４ｍｍとされている。フランジ部１７はブシュ１６の軸方向において中央付近に形成されている。本実施の形態では図２（ｂ）の状態で下端側を先端とする。フランジ部１７はブシュ１６の軸心位置からフランジ部１７外周までが２７．５ｍｍ（つまり直径では５５ｍｍ）の円板形状とされている。フランジ部１７はベース１８の板厚が均等に１．５ｍｍの平板形状とされており、表裏それぞれにベース１８から突起する４つの畝部１９が形成されている。各畝部１９はブシュ１６を円形に取り囲んで概ね均等な間隔となるように多重的に配置されている。ブシュ１６の断面形状は正三角形形状であり、ベース１８から頂点までが１．５ｍｍに構成されている。表裏の畝部１９はベース１８を挟んで互いに対応する位置に突出形成されている。
【００１５】
図３及び図４に示すように、縦格子１３内部には軸方向中央に沿って中空部２１が形成されている。本実施の形態では縦格子１３の長さは２５０ｍｍとされている。中空部２１は両端に開口されている。中空部２１内には同中空部２１の内周面と接するように合金製の補強用パイプ２２が装着されている。断面円形の補強用パイプ２２の内径はブシュ１６の最大径と一致する。縦格子１３の横断面の直径はフランジ部１７の直径と略一致する。補強用パイプ２２が装着された縦格子１３の両端面１３ａは平面に形成される。
【００１６】
縦格子１３の上方及び下方に配置される横木１２Ａ、１２Ｂの内部にも軸方向中央に沿って中空部２３が形成されている。中空部２３は支柱１１の基端側木口面に開口されている。中空部２３内には同中空部２３の内周面と接するように合金製の補強用パイプ２４が装着されている。
縦格子１３の上方に配置される横木１２Ａの縦格子１３の連結位置、つまり擬木柵１０の設置状態において横木１２Ａの周方向において下方向を向く位置には第１の凹部２５が形成されている。第１の凹部２５は平面形状円形に構成され、その直径は縦格子１３の直径（フランジ部１７の直径）よりも若干大きく本実施の形態では６０ｍｍに構成されている。第１の凹部２５の底面２６は平面に構成されている。底面２６には円形の第１の透孔２７が形成されている。第１の透孔２７は底面２６及び補強用パイプ２４側面を穿設して補強用パイプ２４内部に露出している。第１の透孔２７の直径はブシュ１６の最大径と一致する。補強用パイプ２４には第１の透孔２７と正対する位置には雌ネジ孔２８が形成されている。
また、縦格子１３の下方に配置される横木１２Ｂの縦格子１３の連結位置、つまり擬木柵１０の設置状態において横木１２Ｂの周方向において上方向を向く位置には第２の凹部２９が形成されている。第２の凹部２９も平面形状円形に構成され、その直径は第１の凹部２５と同様６０ｍｍに構成されている。第２の凹部２９の底面３０は平面に構成されている。底面３０には円形の第２の透孔３１が形成されている。第２の透孔３１は底面３０及び補強用パイプ２４側面を穿設して補強用パイプ２４内部に開口している。第２の透孔３１の直径はブシュ１６の最大径と一致する。第２の凹部２９の補強用パイプ２４を挟んだ反対側、つまり下方位置にはナット収容孔３３が形成されている。ナット収容孔３３の底面３４は平面に構成されている。底面３４には円形の第３の透孔３５が形成されている。第３の透孔３５は底面３４及び補強用パイプ２４側面を穿設して補強用パイプ２４内部に開口している。第３の透孔３５の中心（軸心）と第２の透孔３１の中心（軸心）とは一致する。
【００１７】
次に、図３及び図４に基づいて連結ボルト３７とナット３８を用いた横木１２Ａ、１２Ｂに対する縦格子１３の取り付け手順の一例について説明する。尚、実際には横木１２Ａ、１２Ｂへの縦格子１３の取り付けは横木１２Ａ、１２Ｂを水平面に寝かせた状態で作業が行われる。
連結ボルト３７は棒状に構成されその外周には雄ネジ部３７ａが形成されている。ナット３８は断面正六角形形状の外形に構成され雄ねじ３７ａに対応する図示しない雌ネジ部が形成されている。図３に示すように、上方から上側の横木１２Ａ、上側のパッキン１５、縦格子１３、下側のパッキン１５、下側の横木１２Ｂの順に配置されることとなる。このとき上側の横木１２Ａの第１の凹部２５は下向きに配置され、上側のパッキン１５はブシュ１６先端が下方を向くように配置される。縦格子１３は両端面１３ａが擬木柵１０設置時に略垂直方向に配置される。下側のパッキン１５はブシュ１６先端が上方を向くように配置され、下側の横木１２Ｂの第２の凹部２９は上向きに配置される。
次にこれらの部材の仮止め作業について説明する。まず上側のパッキン１５の先端側（下側）を縦格子１３の上側の端面１３ａに露出する補強用パイプ２２に挿入する。そして、相対的に縦格子１３と横木１２Ａとを接近させ、縦格子１３の上側の端部を横木１２Ａの第１の凹部２５内に嵌め込むようにする。これによって上側のパッキン１５の基端側（上側）は横木１２Ａの第１の凹部２５側から第１の透孔２７に挿入されることとなる。このような仮止め状態で上側のパッキン１５のフランジ部１７は縦格子１３の端面１３ａと第１の凹部２５の底面２６とによって挟まれることとなる。この手順は一例であって、先に横木１２Ａ側にパッキン１５を仮止めするようにしてもよい。
【００１８】
また、下側のパッキン１５の基端側を下側の横木１２Ｂの第２の凹部２９側の第２の透孔３１に挿入する。そして、相対的に縦格子１３と横木１２Ｂとを接近させ、縦格子１３の下側の端部が横木１２Ｂの第２の凹部２９内に嵌め込まれるようにする。これによって下側のパッキン１５の先端側（上側）は縦格子１３の下側の端面１３ａに露出する補強用パイプ２２に挿入されることとなる。このような仮止め状態で下側のパッキン１５のフランジ部１７は縦格子１３の端面１３ａと第２の凹部２９の底面３０とによって挟まれることとなる。この手順は一例であって、先に縦格子１３側に仮止めするようにしてもよい。また、先に上側のパッキン１５側から作業を始めたがもちろん下側のパッキン１５側から作業を始めてもよい。
このように直列に横木１２Ａ、上側のパッキン１５、縦格子１３、下側のパッキン１５、下側の横木１２Ｂを仮止め（仮連結）した状態で連結ボルト３７をナット収容孔３３側より挿入する。そして、連結ボルト３７先端を上側の横木１２Ａの補強用パイプ２４内に進出させ雌ネジ孔２８に螺合させる。一方、ナット収容孔３３側からナット３８を連結ボルト３７に螺合させてナット３８をナット収容孔３３の底面３４に当たるまで軸方向に沿って移動させて締め付ける。これによって横木１２Ａと横木１２Ｂ間が互いに接近する方向に締め付けられることとなる。その結果パッキン１５のフランジ部１７は圧縮されることとなる。フランジ部１７のベース１８やその表裏に形成された畝部１９は圧縮によってつぶれて凹部２５、２９の底面２６、３０や縦格子１３の端面１３ａのわずかなでこぼこや傾斜に追随してそれらの面に密着することとなる。パッキン１５のブシュ１６は連結ボルト３７に沿った状態で先端側が縦格子１３の補強用パイプ２２内に配置され、基端側が上下の横木１２Ａ、１２Ｂの補強用パイプ２４内に露出するように配置される。
このようにしてすべての縦格子１３を横木１２Ａ、１２Ｂに取り付て連結ボルト３７とナット３８での締め付けが完了した状態でナット収容孔３３内には図示しないコーキング剤が充填される。このようにパネル体（ユニット化）した状態で支柱１１間に配置していくことで擬木柵１０を構築することができる。
【００１９】
このように構成することで上記実施の形態では次のような効果が奏される。
（１）擬木柵１０の設置状態で略水平に配置される横木１２Ａ、１２Ｂの間に略垂直に配置される縦格子１３は横木１２Ａ、１２Ｂに形成された第１及び第２の凹部２５、２９内に両端が挿入されているが、その当接位置にパッキン１５が配置され、パッキン１５のフランジ部１７は縦格子１３の端面１３ａと凹部２５、２９の底面２６、３０によって圧縮状態で挟まれるため、底面２６、３０や縦格子１３の端面１３ａのわずかなでこぼこや傾斜に追随してそれらの面に密着することとなり、外部から浸入した雨水が内部に及びにくくなる。
（２）パッキン１５のフランジ部１７の表裏には複数の段になった畝部１９が形成されているため、経年使用でフランジ部１７の密着性が多少緩んだとしても畝部１９によって雨水が遮断されるため雨水が内部に及びにくい状態が保たれることとなる。
（３）パッキン１５のブシュ１６が連結ボルト３７を挿嵌させた状態でそれぞれ縦格子１３内と横木１２Ａ、１２Ｂ内に配置されるため、例えフランジ部１７から雨水がブシュ１６方向に浸入しても、ブシュ１６に遮断されて雨水が内部に及びにくくなる。
（４）ブシュ１６の先端及び基端（つまり挿入端）がテーパ状であるため装着作業がしやすく、一方ブシュ１６のフランジ部１７寄り基部は挿入される縦格子１３側と横木１２Ａ、１２Ｂ側の径と一致するため、雨水が内部に及びにくくなる。
【００２０】
上記実施の形態は本発明の原理およびその概念を例示するための具体的な実施の形態として記載したにすぎない。つまり、本発明は上記の実施の形態に限定されるものではない。本発明は、例えば次のように変更した態様で具体化することも可能である。
上記各実施の形態第のパッキン１５はクロロプレンゴム製であったが、可撓性があり圧縮して変形し非圧縮で原形に復帰できる材質であればこれに限るものではない。例えば、ニトリルゴム（ＮＢＲ）・エチレンプロピレンゴム（ＥＰＤＭ）・シリコーンゴム・フッ素ゴム等が使用可能である。また、形状も上記に限定されるものではない。
・上記実施の形態では縦格子１３を横木１２Ａ、１２Ｂに形成された第１及び第２の凹部２５、２９内に挿し込むようにしており、かつ当接面となる端面１３ａと底面２６、３０は平面に構成されていた。しかし、そのような構成に限定されるものではない。例えば、図５に示すように、横木１２Ｂに凹部を設けずに逆に縦格子１３の当接面１３ａを横木１２Ａ、１２Ｂの外周形状に沿った湾曲面形状に構成し、その間にパッキン１５を配設するようにしてもよい。パッキン１５は可撓性があるため、上記と同じ仕様で使用することも可能であるが、湾曲面形状に対応させて形成するようにしてもよい。
・上記では横木１２Ａ、１２Ｂと縦格子１３の間にパッキン１５を配設するような例を挙げたが、例えば支柱１１と横木１２の間に配設するような構成でもよい。
・上記では連結ボルト３７とナット３８と雌ネジ孔２８によってパッキン１５を圧縮するようにしていたが、雄ネジ部材及び雌ネジ部材の関係は様々な態様があるため、これらに限定されるものではない。
・上記ではブシュ１６は縦格子１３内と横木１２Ａ、１２Ｂ内にそれぞれ配置させる構成であったが、どちらかのみに配置させるような構成であってもよい。
・上記ではフランジ部１７は円板形状とされていたが、円板形状以外でもよく、例えば縦格子１３が例えば断面四角形であれば四角形形状に構成するようにしてもよい。
・その他、支柱、横木の長さ、擬木柵の長さや状況に合わせた横木の傾斜しての取り付け等について本発明の趣旨を逸脱しない態様で変更して実施することは自由である。
【００２１】
本発明の請求項に適宜追加可能な上記実施の形態から把握できる本発明のその他の技術的思想について下記に付記として説明する。
複数の柵構成材を組み合わせて構成され、前記柵構成材内に内蔵された雄ネジ部材及び雌ネジ部材によって隣接する前記柵構成材同士を連結固定するようにした柵において、
連結固定される関係となる隣接する前記柵構成材の長手方向端面及び側面にそれぞれ第１及び第２の当接面を設けるとともに、前記雄ネジ部材を挿通させるために前記柵構成材内部に前記第１及び第２の当接面にそれぞれ開口する第１及び第２の連通孔を設け、
一の前記柵構成材の長手方向端面の第１の当接面を他の一の前記柵構成材の側面の第２の当接面に前記第１及び第２の連通孔が対向するように当接させる際に、筒形のブシュと、同ブシュを包囲するフランジ部とを有するパッキンを前記第１及び第２の当接面間に配置し、前記フランジ部を前記第１及び第２の当接面によって圧縮状態で挟持させるとともに、少なくとも前記ブシュの一端側が一の前記柵構成材側の前記第１の連通孔内に挿入状態で配置されるようにし、
前記雄ネジ部材が前記ブシュに挿嵌された状態で前記第１及び第２の連通孔内に渡って配設されていることを特徴とする柵。
【符号の説明】
【００２２】
１０…柵としての擬木柵、１２…柵構成材としての横木、１３…柵構成材としての縦格子、１５…パッキン、１６…ブシュ、１７…フランジ部、２２…連通孔としての補強用パイプ、２４…雌ネジ部材としての雌ネジ孔が形成された補強用パイプ、２７…連通孔としての第１の透孔、３１…連通孔としての第２の透孔、３７…雄ネジ部材としての連結ボルト、３８…雌ネジ部材としてのナット。
【図１】
2017186836.tif 000003
【図２】
2017186836.tif 000004
【図３】
2017186836.tif 000005
【図４】
2017186836.tif 000006
【図５】
2017186836.tif 000007